(57)【要約】  【目的】  本発明は、机の天板後部に着脱自在に取付けられる机上用書棚にするものであり、書籍の出し入れによってもブックエンド（仕切板）が不測に脱落せず、又、本立てを移動させても、書籍等が転倒せず、又、照明装置に邪魔される事なく本立てを移動することができる机上用書棚を提供することを目的とする。    【構成】  本立て用左右側板間に配設された本立て用棚板の後方に形成されたスライド案内孔に挿通する連結板の上部に、本立て用棚板の上面に載置される仕切板の後端部を連結し、仕切板の浮き上がりを防止する上がり止め部材を、本立て用棚板の後端部下面で連結板の下部と連結する事により仕切板を左右にスライド自在に保持したものである。【選択図】    図４
2006034890.tif 000002
【特許請求の範囲】
【請求項１】
本立て用左右側板間に配設された本立て用棚板の後方に形成されたスライド案内孔に挿通する連結板の上部に、本立て用棚板の上面に載置される仕切板の後端部を連結し、仕切板の浮き上がりを防止する上がり止め部材を、本立て用棚板の後端部下面で連結板の下部と連結する事により仕切板を左右にスライド自在に保持した事を特徴とする机上用書棚。
【請求項２】
上がり止め部材が、本立て用棚板の下面に配設された小引出しにて隠蔽されていることを特徴とする請求項１に記載の机上用書棚。
【請求項３】
机上用書棚の左右側板間を左右方向に移動可能な本立てと、上後板の前面に支柱が連結される照明装置を有する机上用書棚において、本立ては、本立て用左右側板間に配設された本立て用棚板上に左右にスライド自在とした仕切板を有し、本立て用左右側板と、仕切板の上部後端部に支柱を通過可能な支柱用切り欠き部と支柱用仕切り切り欠き部が形成されていることを特徴とする机上用書棚。
【請求項４】
仕切板は、本立て用左右側板間に配設された本立て用棚板の後方に形成されたスライド案内孔に挿通する連結板の上部に、後端部が連結され、本立て用棚板の後端部下面で連結板の下部と仕切板の浮き上がりを防止する上がり止め部材が連結される事により仕切板を左右にスライド自在とした事を特徴とする請求項３に記載の机上用書棚。
【発明の詳細な説明】
【技術分野】
【０００１】
本発明は、机の天板後部に着脱自在に取付けられる机上用書棚に関するものである。
【背景技術】
【０００２】
この種の机上用書棚として、書棚の左右側板の後端間に、上下に隙間をあけて少なくとも２枚の後面板を掛け渡し、これらの後面板間に沿って形成された隙間を本立て移動用間隙とし、本立ての後面より突設した本立て移動用間隙材を、この本立て移動用間隙にガイドさせ、本立てを書棚に沿ってスライド自在としたものがあった。（例えば、特許文献１参照。）
このような本立てに市販のブックエンドを使用すると、本立てを左右にスライドさせたとき、ブックエンド、あるいは、ブックエンド間に収納された書籍が不測に移動、転倒することがあり、使い勝手が非常に悪かった。
又、書籍等を出し入れする時に、書籍とぶつかるなどしてブックエンドが本立てより机上面に脱落し、机上面を傷付けることもあった。
又、机上面を照らす照明装置を机上用書棚を避けて置くと机上面が狭くなるので、照明装置は書棚に取付けざるをえないが、書棚の後面板にブラケットを介して取付けると、ブラケットがスライドする本立てと干渉してしまい、本立てを左右にスライドさせることができなかった。
【０００３】
【特許文献１】特開平１１−９３４８号公報
【発明の開示】
【発明が解決しようとする課題】
【０００４】
本発明は、上記問題点を解決する事を課題とし、本立てをスライドさせても書籍等が不測に移動、転倒せず、又、書籍の出し入れによってブックエンド（仕切板）が不測に脱落することがなく、又、照明装置と干渉する事なく本立てをスライドさせることができる机上用書棚を提供することを課題とする。
【課題を解決するための手段】
【０００５】
そこで、上記課題を解決する為、本発明が第１の手段として構成したところは、本立て用左右側板間に配設された本立て用棚板の後方に形成されたスライド案内孔に挿通する連結板の上部に、本立て用棚板の上面に載置される仕切板の後端部を連結し、仕切板の浮き上がりを防止する上がり止め部材を、本立て用棚板の後端部下面で連結板の下部と連結する事により仕切板を左右にスライド自在に保持したものである。
【０００６】
次に、本発明が第２の手段として構成したところは、上記構成に加え、上がり止め部材が、本立て用棚板の下面に配設された小引出しにて隠蔽されているものである。
【０００７】
次に、本発明が第３の手段として構成したところは、机上用書棚の左右側板間を左右方向に移動可能な本立てと、書棚の上後板の前面に支柱が連結される照明装置を有する机上用書棚において、本立ては、本立て用左右側板間に配設された本立て用棚板上に左右にスライド自在とした仕切板を有し、本立て用左右側板と、仕切板の上部後端部に支柱を通過可能な支柱用切り欠き部と支柱用仕切り切り欠き部が形成されているものである。
【０００８】
次に、本発明が第４の手段として構成したところは、上記第３の手段の構成に加え、仕切板は、本立て用左右側板間に配設された本立て用棚板の後方に形成されたスライド案内孔に挿通する連結板の上部に、後端部が連結され、本立て用棚板の後端部下面で連結板の下部と仕切板の浮き上がりを防止する上がり止め部材が連結される事により仕切板を左右にスライド自在としたものである。
【発明の効果】
【０００９】
請求項１に記載の発明によると、書籍の出し入れによって仕切板が浮き上がることがなく、又、左右に移動自在に支持されているので、使い勝手が非常に良い。
【００１０】
請求項２に記載の発明によると、前記効果に加え、浮き上がり防止部材が小引出しによって、隠蔽されるので美観的に優れている。
【００１１】
請求項３に記載の発明によると、書棚に照明装置を取付けても本立てを左右に移動できるので、パソコン等を好みの位置に置いて使用する事ができる。
【００１２】
請求項４に記載の発明によると、請求項３の発明の効果に加え、本立てを左右に移動させても書籍等が転倒することがなく、又、書籍の出し入れによって仕切板が脱落することがない。
【発明を実施するための最良の形態】
【００１３】
本発明は、机上用書棚の左右側板間を、左右方向にスライド可能な本立てと、書棚の上後板の前面に支柱が連結される照明装置を有する机上用書棚において、本立ては、本立て用左右側板間に配設された本立て用棚板上に左右にスライド自在とした仕切板を有し、本立て用左右側板と、仕切板の上部後端部に支柱を通過可能な支柱用切り欠き部と支柱用仕切り切り欠き部が形成され、仕切板は、本立て用左右側板間に配設された本立て用棚板の後方に形成されたスライド案内孔に挿通する連結板の上部に、後端部が連結され、本立て用棚板の後端部下面で連結板の下部と仕切板の浮き上がりを防止する上がり止め部材が連結されるものである。
【実施例１】
【００１４】
図１において、符号１は書棚を示し、符号２、２は書棚１に具備された本立てを示し、符号３、３は、本立て２、２に設けられた仕切板を示し、符号５は照明装置を示している。
書棚１は、左右に所定間隔を有して立設された左右側板１１、１１と、左右側板１１、１１の後端間に、上下に所定間隔を有して配設された２枚の上下後板１２、１３と、左右側板１１、１１の後部下端部間と、下後板１３の下部前面間に配設された補強用継ぎ板１４と、本立て２、２と、本立て２、２間に着脱自在に配設された自在棚板４より構成されている。
照明装置５は、支柱５１と灯具５２より構成され、支柱５１は、連結ネジ５３、５３にて上後板１２の中央部前面に連結されている。
符号５０は、上下後板１２、１３の中央部裏面と上下端部が連結された後板補強材を示し、実施例では本立て２、２の移動を妨げないよう、上下後板１２、１３で形成される本立て移動用間隙３０の上下寸法より大きめの切り欠き３０１が設けられて、本立て２、２のスライドを妨げない構成となっている。
後板補強材５０は、照明装置５を書棚１から取外して机上面で単独で使用する際には、支柱５１の下端に連結させて照明装置５を机上面に立設させる連結用支柱として転用可能であるが、転用するには、上端には支柱５１を連結させる連結座（図示せず）を、下端には机上面の適宜箇所での固定用ブラケット（図示せず）を取り付けるだけでよい。
【００１５】
本立て２、２は同じ構成であるので一方側についてのみ説明する。
本立て２は左右に所定間隔を有して立設された本立て用左右側板２１、２１と、本立て用左右側板２１、２１の上下方向略中間部間に配設された本立て用棚板２２と、本立て用棚板２２の下面に配設された小引出し２３と、本立て用棚板２２の上面に設けられた仕切板３より構成されている。
そして、本立て２の左右幅は、本棚１の左右幅の３分の１程度の大きさで、図１に示すように、左右端部側にそれぞれ本立て２、２をよせた状態で、本立て２、２間に自在棚板４が取付けられて使用される場合や、本立て２、２を左右何れか一方側によせて、書棚１の側板１１と本立て用側板２１間に自在棚板４が取付けられて使用される等、パソコン等の使用位置によって本立て２、２の位置は適宜選択される。
【００１６】
本立て用左右側板２１、２１の後端中央部が上下後板１２、１３間で形成される本立て移動用間隙３０内に突出し、この突出した部分間に補強用後板２４が設けられ、補強用後板２４の左右端部下面に、下後板１３の上面に係合する下向きＬ字形の下部保持片２４１、２４１が取付けられ、補強用後板２４の上端部には上後板１２の下端部後面に係止する上部支持片２４２が取付けられ、下部支持片２４１、２４１の内面には、下後板１３上端面との接触状態を緩和する緩衝材３００が貼付けられている。
又、本立て用左右側板２１、２１の上部後端部には、本立て２が左右にスライドする時、本立て用左右側板２１、２１の上部後端が照明装置５の支柱５１に当接しないよう、支柱用切り欠き部２００が形成されている。
【００１７】
そして、本立て用左右側板２１、２１の下端面に、補強用継ぎ板１４の前端上角部に接触するスライド用滑子２１１が取付けられ、本立て２の重量の一部を支持している。
そして、本立て用棚板２２は、前端部がほぼ本立て用側板２１、２１の前端部まで達し、後端部は、補強用後板２４の前面間にスライド案内孔２５を形成する前後巾に構成され、本立て２は、下部保持片２４１、２４１、上部支持片２４２、スライド用滑子２１１、２１１と、本立て移動用間隙３０、補強用継ぎ板１４にて、書棚１に対し、左右にスライド自在に保持されている。
【００１８】
仕切板３は、上部後端部に支柱用切り欠き部２００と同様の支柱用仕切り切り欠き部４００が形成され、後端部に仕切板３より左右方向に巾広の仕切板保持板３１を介して、スライド案内孔２５を挿通する連結板３２の上部とネジ止め連結されている。
そして、本立て用棚板２２の後端部下面で、仕切板３の浮き上がりを防止する上がり止め部材３３が連結板３２の下端部前面にネジ止め連結されている。
すなわち、仕切り板３に、仕切板保持板３１、連結板３２を連結した状態で、連結板３２をスライド案内孔２５の上方より挿通させ、小引出し２３を抜出した状態で連結板３２の下端部に上がり止め部材３３をネジ止め連結する。そして、小引出し２３を取付けて上がり止め部座３３を隠蔽する。
【図面の簡単な説明】
【００１９】
【図１】本発明の机上用書棚書棚の正面図
【図２】図１のＡ−Ａ線拡大断面図
【図３】図１のＢ−Ｂ線拡大断面図
【図４】図３のＣ部拡大図
【符号の説明】
【００２０】
１          書棚
１１        側板
１２        上後板
１３        下後板
２          本立て
２０        本立て移動用間隙
２１        本立て用側板
２２        本立て用棚板
２３        小引出し
２５        スライド案内孔
２００      支柱用切り欠き部
３          仕切板
３２        連結板
３３        止め部座
３００      支柱用仕切り切り欠き部
４          自在棚板
５          照明器具
５１        支柱
【図１】
2006034890.tif 000003
【図２】
2006034890.tif 000004
【図３】
2006034890.tif 000005
【図４】
2006034890.tif 000006